(57)【要約】【課題】サイドガセット部分をデザインの有効な表示面として使用することができる、自立安定性に優れたパウチ容器を提供する。【解決手段】表裏一対の外装シート１１、１１及び両外装シート１１、１１の両側部から内側に折り込まれて左右のガセット部を形成する左右一対のガセットシート１２ａ、１２ｂによって袋状に形成された容器本体１０と、容器本体１０に装着されるスパウト２０とから構成されている。容器本体１０は、一方のガセットシート１２ａの折込量Ｌａが、他方のガセットシート１２ｂの折込量Ｌｂよりも大きくなっており、折込量が大きいガセットシート１２ａの上部側の折込量が、下部側の折込量より小さくなるように、折込量が大きいガセットシート１２ａ側における、相互にヒートシールされた外装シート１１、１１及びガセットシート１２ａ、１２ｂの側縁の上部側をスパウト２０側に傾斜させてある。【選択図】        図３
2005225508.tif 000002
【特許請求の範囲】
【請求項１】
表裏一対の外装シートと、両外装シートの両側部から内側に折り込まれてガセット部を形成する左右一対のガセットシートとを有し、
前記ガセットシートの周縁部が前記外装シートにヒートシールされると共に前記外装シートの上縁部及び下縁部が相互にヒートシールされることで、袋状に形成されたパウチ容器において、
いずれか一方の前記ガセットシートの折込量が、他方の前記ガセットシートの折込量よりも大きくなっており、
折込量が大きい前記ガセットシートの上部側の折込量が、下部側の折込量より小さくなるように、折込量が大きい前記ガセットシート側における、相互にヒートシールされた前記外装シート及び前記ガセットシートの側縁を傾斜させたことを特徴とするパウチ容器。
【発明の詳細な説明】
【技術分野】
【０００１】
この発明は、清涼飲料等の液体飲料や食品、医薬品、洗剤等の液体や粘性体を充填するパウチ容器に関する。
【背景技術】
【０００２】
近年、清涼飲料等の液体飲料を充填する容器としては、例えば、図５（ａ）〜（ｃ）に示すように、表裏一対の外装シート５１ａの両側部からガセットシート５１ｂが内側に折り込まれ、そのガセットシート５１ｂの周縁部が外装シート５１ａにヒートシールされると共に外装シート５１ａの上縁部及び下縁部が相互にヒートシールされることによって袋状に形成されたサイドガセットタイプの容器本体５１に、スクリューキャップ等の口栓によって飲口や注口となる口部を開閉することができるスパウト５２が装着されたパウチ容器５０が使用されるようになってきている。
【０００３】
こういったパウチ容器５０は、図６（ａ）に示すように、表裏一対の外装シート５１ａが略長方形に形成されていると共に、表裏一対の外装シート５１ａの間に折り込まれる左右一対のガセットシート５１ｂも略長方形に形成されているのが一般的であり、左右のガセットシート５１ｂは、その幅、即ち、折込量Ｌについても同一に設定されている。なお、同図（ｂ）に示すパウチ容器５０Ａのように、外装シート５１ａとガセットシート５１ｂとが相互にヒートシールされている下端コーナー部が切除されたものもある。
【０００４】
【特許文献１】特開平１０−７２０４４号公報
【発明の開示】
【発明が解決しようとする課題】
【０００５】
ところで、こういったサイドガセットタイプのパウチ容器におけるサイドガセット部分の幅は、ガセットシートの折込量によって決定されるが、ガセットシートの折込量は、外装シートの幅や挿着されるスパウトの幅によって制限されるので、上述したように、左右のガセットシート５１ｂが同一幅に設定されているパウチ容器５０では、サイドガセット部分の幅を自由に大きくすることができず、しかも、外装シート５１ａの間に折り込まれたガセットシート５１ｂは、その上縁部分同士が相互に固着されているので、サイドガセット部分の上部側が開きにくく、ガセットシート５１ｂの折込量が大きくなるに従って、サイドガセット部分の上部側が見にくくなるといった傾向がある。
【０００６】
従って、上述したようなパウチ容器５０では、サイドガセット部分を有効な表示面として使用することができず、外装シート５１ａによって形成される正面側及び裏面側の２面を主にデザインの表示面として使用している。
【０００７】
また、こういったサイドガセットタイプのパウチ容器では、サイドガセット部分の幅を大きくすることによって、自立安定性を高めることができるが、内容量が決められており、上述したように、サイドガセット部分の幅についても自由に大きくすることができないパウチ容器５０では、十分な自立安定性を確保することが難しいといった問題もある。
【０００８】
そこで、この発明の課題は、サイドガセット部分をデザインの有効な表示面として使用することができる、自立安定性に優れたパウチ容器を提供することにある。
【課題を解決するための手段】
【０００９】
上記の課題を解決するため、請求項１にかかる発明は、表裏一対の外装シートと、両外装シートの両側部から内側に折り込まれてガセット部を形成する左右一対のガセットシートとを有し、前記ガセットシートの周縁部が前記外装シートにヒートシールされると共に前記外装シートの上縁部及び下縁部が相互にヒートシールされることで、袋状に形成されたパウチ容器において、いずれか一方の前記ガセットシートの折込量が、他方の前記ガセットシートの折込量よりも大きくなっており、折込量が大きい前記ガセットシートの上部側の折込量が、下部側の折込量より小さくなるように、折込量が大きい前記ガセットシート側における、相互にヒートシールされた前記外装シート及び前記ガセットシートの側縁を傾斜させたことを特徴とするパウチ容器を提供するものである。
【００１０】
なお、ここにいう表裏一対の外装シート及び左右一対のガセットシートは、それぞれが分離独立しているものに限定されるものではなく、例えば、一方の外装シートに、一方のガセットシート、他方の外装シート、他方のガセットシートが順次連設された１枚のシートや、一方の外装シートの両側縁にガセットシートがそれぞれ連設された１枚のシートのように、外装シートとガセットシートとが予め連設されている１枚のシートを折り曲げた状態でヒートシールした後に、所定形状に打ち抜くことによって形成されたものも含まれる。
【発明の効果】
【００１１】
以上のように、請求項１にかかる発明のパウチ容器では、いずれか一方のガセットシートの折込量が、他方のガセットシートの折込量よりも大きくなっているので、左右のガセットシートの折込量が同一に設定されている従来のパウチ容器に比べて、内容量や外装シートの幅を大きくすることなく、一方のサイドガセット部分の幅を大きくすることができると共に、折込量が大きいガセットシートの上部側の折込量が、下部側の折込量より小さくなるように、折込量が大きいガセットシート側における、相互にヒートシールされた外装シート及びガセットシートの側縁を傾斜させてあるので、サイドガセット部分の上部側が開き易くなり、これに伴って、サイドガセット部分の上部側が見やすくなるので、サイドガセット部分をデザインの有効な表示面として使用することが可能になる。
【００１２】
また、このパウチ容器では、上述したように、左右のガセットシートの折込量が同一に設定されている従来のパウチ容器におけるサイドガセット部分の幅に比べて、一方のサイドガセット部分の幅を大きくすることができるので、自立安定性を高めることができるという効果も得られる。
【発明を実施するための最良の形態】
【００１３】
以下、実施の形態について図面を参照して説明する。図１及び図２に示すように、このパウチ容器１は、アルミホイル等のガスバリア性シートを積層したポリエステルフィルム等の基材シートの内面側に、ポリエチレンやポリプロピレン等の熱接着性樹脂からなるシーラント層が積層されたフレキシブルシートによって袋状に形成された容器本体１０と、この容器本体１０に取り付けられる熱接着性樹脂によって形成されたスパウト２０とから構成されている。
【００１４】
前記容器本体１０は、図２（ａ）〜（ｃ）に示すように、上述したフレキシブルシートによって形成された、表裏一対の外装シート１１、１１及び両外装シート１１、１１の両側部から内側に折り込まれて左右のガセット部を形成する左右一対のガセットシート１２ａ、１２ｂとから構成されており、図３に示すように、折り込まれたガセットシート１２ａ、１２ｂの内面の周縁が外装シート１１、１１の内面にヒートシールされると共に、外装シート１１、１１の内面の上縁部及び下縁部が相互にヒートシールされることで、袋状に形成されている。なお、図３における網掛け表示部分が、容器本体１０のヒートシール部分を示している。
【００１５】
一方のガセットシート１２ａの折込量Ｌａは、他方のガセットシート１２ｂの折込量Ｌｂの１．３〜３．０倍に設定されており、表裏一対の外装シート１１、１１の間に折り込まれた双方のガセットシート１２ａ、１２ｂの間の略中央にスパウト２０が配置されている。
【００１６】
また、前記外装シート１１、１１は、その上端側が幅狭に形成されているが、袋状に形成された容器本体１０にスパウト２０を挿入する際の作業性を考慮して、外装シート１１、１１の上端縁は、ヒートシールされたスパウト２０の両側に、少なくとも、１５ｍｍのシート同士のヒートシール部分が確保されており、ガセットシート１２ａ、１２ｂの上部側の折込量が、下部側の折込量より小さくなるように、相互にヒートシールされた外装シート１１、１１及びガセットシート１２ａ、１２ｂの側縁は、その上部側がスパウト２０側に傾斜した傾斜部Ｓａ、Ｓｂを有している。
【００１７】
相互にヒートシールされた外装シート１１、１１及びガセットシート１２ａ、１２ｂの側縁は、それぞれの傾斜部Ｓａ、Ｓｂの下側に、垂直部Ｖａ、Ｖｂを有しており、パウチ容器１の製袋行程において、容器本体１０にスパウト２０を挿入する際、垂直部Ｖａ、Ｖｂをガイドすることによって容器本体１０の位置決めを行うことを考慮して、垂直部Ｖａ、Ｖｂは、外装シート１１（ガセットシート１２ａ）の全長（全高）の１／３以上の長さに設定されている。
【００１８】
特に、折込量が大きいガセットシート１２ａ側における側縁の傾斜部Ｓａは、その傾斜角度θが６０〜８０度に設定されており、ガセットシート１２ａの上部側が広がりやすくなっている。なお、傾斜部Ｓａの傾斜角度θを６０〜８０度に設定したのは、傾斜部Ｓａの傾斜角度θが６０度を下回ると見栄えが悪くなり、傾斜部Ｓａの傾斜角度θが８０度を上回るとガセットシート１２ａの上部側が広がりにくくなるからである。
【００１９】
また、内容物を充填したときに容器本体１０の底面となる外装シート１１、１１の下部側（図３の一点鎖線より下側）は、図３に示すように、相互にヒートシールされた外装シート１１、１１及びガセットシート１２ａ、１２ｂの側縁におけるヒートシール部分の内縁の下端Ｘａ、Ｘｂから４５度の角度θ１で、左右のガセットシート１２ａ、１２ｂの折込縁まで延びる線と、それらの線の折込縁との交点Ｙａ、Ｙｂ同士を結ぶ線とが内縁になるように、それらの線の下側にヒートシール部分が形成されており、その内縁に沿って所定のシール幅が確保されるように、外装シート１１、１１及びガセットシート１２ａ、１２ｂの外形が決定されている。
【００２０】
前記スパウト２０は、図３に示すように、ポリエチレンやポリプロピレン等により形成され、袋状の容器本体１０に取り付けられる固着部２１と、この固着部２１の上部に設けられた、スクリューキャップ２２によって開閉可能な飲口または注口となる口部と、固着部２１の下部に設けられた、容器本体１０内に充填された内容物を吸い上げるための横断面十字状の導出部２３とから構成されており、導出部２３が容器本体１０内に挿入された状態で、固着部２１の側面が容器本体１０（外装シート１１、１１）の上縁部にヒートシールされている。
【００２１】
以上のように、このパウチ容器１では、一方のガセットシート１２ａの折込量が、他方のガセットシート１２ｂの折込量よりも大きくなっているので、左右のガセットシートの折込量が同一に設定されている従来のパウチ容器に比べて、内容量や外装シート１１、１１の幅を大きくすることなく、一方のガセットシート１２ａによって形成されるサイドガセット部分の幅を大きくすることができると共に、折込量が大きいガセットシート１２ａの上部側の折込量が、下部側の折込量より小さくなるように、ガセットシート１２ａ側における、相互にヒートシールされた外装シート１１、１１及びガセットシート１２ａの側縁の上部側を傾斜させてあるので、幅広のサイドガセット部分の上部側が開き易くなり、これに伴って、そのサイドガセット部分の上部側が見やすくなるので、外装シート１１、１１部分だけでなく、折込量が大きいガセットシート１２ａによって形成されるサイドガセット部分をデザインの有効な表示面として使用することが可能になる。
【００２２】
また、このパウチ容器１は、左右のガセットシートの折込量が同一に設定されている従来のパウチ容器とは異なり、内容物を充填したときに容器本体１０が特徴的な「おにぎり形状」となるので、同種のパウチ容器に対する識別力を持つことになり、他の商品との差別化を図ることができる。
【００２３】
さらに、このパウチ容器１は、上述したように、左右のガセットシートの折込量を同一に設定する場合に比べて、ガセットシート１２ａによって形成される一方のサイドガセット部分が幅広になるので、自立安定性を高めることができるという効果も得られる。
【００２４】
なお、上述した実施形態では、折込量の小さいガセットシート１２ｂ側の側縁についても、その上部側をスパウト２０側に傾斜させているが、これに限定されるものではなく、必ずしも、傾斜部Ｓｂを設ける必要はない。
【００２５】
また、上述した実施形態では、相互にヒートシールされた外装シート１１、１１及びガセットシート１２ａ、１２ｂの側縁におけるヒートシール部分の内縁の下端Ｘａ、Ｘｂから４５度の角度θ１で、左右のガセットシート１２ａ、１２ｂの折込縁まで延びる線と、それらの線の折込縁との交点Ｙａ、Ｙｂ同士を結ぶ線とが内縁になるように、それらの線の下側にヒートシール部分が形成されているが、これに限定されるものではなく、例えば、図４に示すパウチ容器１Ａのように、ヒートシール部分の内縁となる下端Ｘａからガセットシート１２ａの折込縁まで延びる線の角度θ１を４５度以下（この場合、θ１＝３０度）に設定することも可能であり、この場合は、同図に示す二点鎖線（交点Ｙａを通る傾斜角度４５度の線がガセットシート１２ａの側縁におけるヒートシール部分の内縁と交わる点Ｘｃと、ガセットシート１２ｂの側縁におけるヒートシール部分の内縁の下端Ｘｂとを結ぶ線）の下側が、内容物を充填したときに、容器本体１０の底面となる。
【００２６】
また、上述した実施形態では、袋状の容器本体１０にスパウト２０が装着されたパウチ容器１について説明したが、これに限定されるものではなく、スパウトのないパウチ容器についても本発明を適用することができることはいうまでもない。
【図面の簡単な説明】
【００２７】
【図１】この発明にかかるパウチ容器の一実施形態を示す斜視図である。
【図２】（ａ）は同上のパウチ容器を示す正面図、（ｂ）は同上のパウチ容器を示す一方の側面図、（ｃ）は同上のパウチ容器を示す他方の側面図である。
【図３】同上のパウチ容器を折り畳んだ状態を示す正面図である。
【図４】他の実施形態であるパウチ容器を折り畳んだ状態を示す正面図である。
【図５】（ａ）は従来のパウチ容器を示す斜視図、（ｂ）は同上のパウチ容器を示す正面図、（ｃ）は同上のパウチ容器を示す側面図である。
【図６】（ａ）は同上のパウチ容器を折り畳んだ状態を示す正面図、（ｂ）は（ａ）に示すパウチ容器の変形例を示す正面図である。
【符号の説明】
【００２８】
１、１Ａ  パウチ容器
１０  容器本体
１１  外装シート
１２ａ、１２ｂ  ガセットシート
２０  スパウト
２１  固着部
２２  スクリューキャップ
２３  導出部
Ｓａ、Ｓｂ  傾斜部
Ｖａ、Ｖｂ  垂直部
【図１】
2005225508.tif 000003
【図２】
2005225508.tif 000004
【図３】
2005225508.tif 000005
【図４】
2005225508.tif 000006
【図５】
2005225508.tif 000007
【図６】
2005225508.tif 000008